(57)【要約】【課題】任意に設置場所を変更でき、かつ、電力等の動力を必要とせず、設置された場所を中心として一定の範囲内に均一に散水可能な回転式の散水装置を提供する。【解決手段】円筒形のタンク本体と、中央部に回転支軸が垂直に立設された回転台と、から構成される散水装置であって、前記タンク本体は、上面中央に設けられた注水口と、外周面に設けられた複数の噴射ノズルと、外周面に設けられた矩形板状の複数の羽根板と、  底面中央に設けられた支軸挿入穴と、を備え、前記回転支軸を前記支軸挿入穴に挿入して、前記タンク本体を前記回転台の上部に回転自在に軸支し、前記タンク本体は、前記注水口から当該タンク本体の内部に注水された水を、前記複数の羽根板にかかる風圧により回転しながら前記噴射ノズルから当該タンク本体の外部に散水することを特徴とする散水装置とした。【選択図】図２
2015188365.tif 000002
【特許請求の範囲】
【請求項１】
円筒形のタンク本体と、
中央部に回転支軸が垂直に立設された回転台と、から構成される散水装置であって、
前記タンク本体は、
上面中央に設けられた注水口と、
外周面に設けられた複数の噴射ノズルと、
外周面に設けられた矩形板状の複数の羽根板と、
底面中央に設けられた支軸挿入穴と、を備え、
前記回転支軸を前記支軸挿入穴に挿入して、前記タンク本体を前記回転台の上部に回転自在に軸支し、
前記タンク本体は、前記注水口から当該タンク本体の内部に注水された水を、前記複数の羽根板にかかる風圧により回転しながら前記噴射ノズルから当該タンク本体の外部に散水することを特徴とする散水装置。
【請求項２】
前記複数の羽根板は当該本体タンクの中心に対して所定角度傾斜した状態となるように、当該羽根板の長手方向の一側端が前記本体タンクの外周面に接続されていることを特徴とする請求項１記載の散水装置。
【請求項３】
前記複数の羽根板の長手方向の一側端は、前記本体タンクの外周面を等間隔に分割して接続されていることを特徴とする請求項１又は２に記載の散水装置。
【請求項４】
前記複数の噴射ノズルは、前記タンク本体の外周面の垂直方向の中央部に、水平方向に直列に配設されていることを特徴とする請求項１〜３のいずれか１項に記載の散水装置。
【請求項５】
複数の前記噴射ノズルの先端には、噴射ヘッドがボールジョイントを介して交換可能に取り付けられており、当該噴射ヘッドの角度を上下左右に調整可能としたことを特徴とする請求項１〜４のいずれか１項に記載の散水装置。
【発明の詳細な説明】
【技術分野】
【０００１】
本発明は散水装置に関し、特に一定の範囲に均一に散水可能な回転式の散水装置に関する。
【背景技術】
【０００２】
ゴルフ場や農地などにおいて、所定の範囲内に均一に散水（又は灌水）するために回転式の散水装置が好適に用いられている。
【０００３】
上記回転式の散水装置としては、噴射ノズルを用いて水の噴射圧を利用して噴射ヘッドを回転させる方式（特許文献１参照）のものや、回転体を回転駆動用モータで回転させて、その遠心力を利用する方式（特許文献２参照）のものが知られている。
【先行技術文献】
【特許文献】
【０００４】
【特許文献１】特開平９−１７２８８７号公報
【特許文献２】特開２００２−５９０３２号公報
【発明の概要】
【発明が解決しようとする課題】
【０００５】
ところが、上記特許文献１の散水装置では、ゴルフ場等の予め定められた場所に埋設されているため、回転式の噴射ノズルを中心として一定の範囲内においてのみ散水可能であり、散水場所の変更を行うことができないという問題があった。
【０００６】
また、上記特許文献２の散水装置では、散水装置の本体である回転体を回転させるための回転駆動用モータ等の電力が必要であり、電源設備があるところでないと使用することができないという問題があった。
【０００７】
本発明は、上記課題を解決するために、任意の散水場所に設置することが可能であり、かつ、電力等の動力を必要とせず、設置された場所を中心として一定の範囲内に均一に散水可能な回転式の散水装置を提供することを目的とする。
【課題を解決するための手段】
【０００８】
上記目的を達成するために、請求項１に記載の発明は、円筒形のタンク本体と、中央部に回転支軸が垂直に立設された回転台と、から構成される散水装置であって、前記タンク本体は、上面中央に設けられた注水口と、外周面に設けられた複数の噴射ノズルと、外周面に設けられた矩形板状の複数の羽根板と、底面中央に設けられた支軸挿入穴と、を備え、前記回転支軸を前記支軸挿入穴に挿入して、前記タンク本体を前記回転台の上部に回転自在に軸支し、前記タンク本体は、前記注水口から当該タンク本体の内部に注水された水を、前記複数の羽根板にかかる風圧により回転しながら前記噴射ノズルから当該タンク本体の外部に散水することを特徴とする散水装置とした。
【０００９】
請求項２に記載の発明は、請求項１に記載の散水装置において、前記複数の羽根板は当該本体タンクの中心に対して所定角度傾斜した状態となるように、当該羽根板の長手方向の一側端が前記本体タンクの外周面に接続されていることを特徴とする。
【００１０】
請求項３に記載の発明は、請求項１又は２に記載の散水装置において、前記複数の羽根板の長手方向の一側端は、前記本体タンクの外周面を等間隔に分割して接続されていることを特徴とする。
【００１１】
請求項４に記載の発明は、請求項１〜３のいずれか１項に記載の散水装置において、前記複数の噴射ノズルは、前記タンク本体の外周面の垂直方向の中央部に、水平方向に直列に配設されていることを特徴とする。
【００１２】
請求項５に記載の発明は、請求項１〜４のいずれか１項に記載の散水装置において、前複数の前記噴射ノズルの先端には、噴射ヘッドがボールジョイントを介して交換可能に取り付けられており、当該噴射ヘッドの角度を上下左右に調整可能としたことを特徴とする。
【発明の効果】
【００１３】
本発明によれば、水を散布したい場所の散水装置の設置場所を自由に変更することが可能であり、かつ、電力等の動力を必要とせず、設置された場所を中心として一定の範囲内に均一に散水可能な簡単な構成の散水装置を提供することが可能である。
【図面の簡単な説明】
【００１４】
【図１】本実施形態に係る散水システムの全体構成の概要を示す図である。
【図２】本実施形態に係る散水装置の構成の詳細を示す図である。
【図３】本実施形態に係る散水装置の本体タンクの平面図である。
【図４】本実施形態に係る散水装置の噴射ノズルの構成を示す図である。
【図５】本実施形態に係る散水装置の作動状態を示す図である。
【図６】本実施形態に係る散水装置の羽根板の変形例１を説明する図である。
【図７】本実施形態に係る散水装置の羽根板の変形例２を説明する図である。
【発明を実施するための形態】
【００１５】
以下、本実施形態に係る散水装置の一例について、図面を参照して説明する。
【００１６】
本実施形態における散水装置を用いた散水システムの構成の概要を、図１を参照して説明する。図１は散水システム１の構成の概要を示す図である。また、以下の実施形態では、散水システム１を用いる散水場所は、例えば、防波堤等の原料となる粉砕した瓦礫を湿潤状態で保存する砕石置き場に散水する場合を一例として説明する。
【００１７】
図１に示すように、本実施形態における散水システム１は、水が貯水された貯水槽３００と、貯水槽３００から水を汲み上げて複数の散水装置１００に分岐して送水する調整タンク２００と、砕石置き場Ｓの上に設置された複数の散水装置１００とにより構成される。
【００１８】
貯水槽３００は、散水用の水を貯水しておくためのものである。散水用の水は、水道水に限らず、雨水を溜めたものや河川や湖等の水を引いて溜めたものでもよい。また、近くに河川や沼、溜池などの十分な水量（例えば、３m3以上）を備えたものであれば、貯水槽３００代わりに用いることもできる。
【００１９】
貯水槽３００の水は、水中ポンプ２０１により、所定径（例えば、５０Ａ）の取水ホース２０２を経由して取水口２０３から調整タンク２００の内部に送水され、さらに調整タンク２００の上部に設けられた複数（例えば、２か所）の送水口２０４から所定径（例えば、２０Ａ）の送水ホース２０６を経由して複数の散水装置１００の注水口１０１に送水される。
【００２０】
この水中ポンプ２０１は周知の農業用等の取水ポンプ（例えば、２インチポンプ）であり、調整タンク２００の容量に応じた水を貯水槽３００から取水するためのものである。また、水中ポンプ２０１の性能は、調整タンク２００の容量に応じたものであり、例えば、２か所以上（例えば、６か所）の送水口２０４を備えた容量の大きい調整タンク２００を使用してより多くの散水装置１００へ送水する場合は、その容量に応じた性能の水中ポンプ２０１（例えば、４インチポンプ）が用いられる。なお、その場合は、大きい径（例えば、１００Ａ）の取水ホース２０２が用いられることになる。
【００２１】
調整タンク２００の送水口２０４には、ボールバルブ２０５が設けられている。このボールバルブ２０５は、送水口２０４から散水装置１００への送水を止めたい場合に使用されるものであり、調整タンク２００の複数の送水口２０４から複数の散水装置１００へ送水するか否かを選択可能としたものである。このように、調整タンク２００の複数の送水口２０４に接続された複数の散水装置１００への送水を選択することで、例えば、調整タンク２００が４か所の送水口２０４を備えており、最大４台の散水装置１００を接続可能な場合でも、散水場所の面積に応じて、最小１台から最大４台まで稼働させる散水装置１００の数を変更することができ、無駄な散水を防止して、適切な散水場所への散水が可能となる。
【００２２】
なお、送水ホース２０６の所定径は、送水対象となる散水装置１００の容量に応じたものであり、小型の散水装置１００を多数台用いて散水する場合には、調整タンク２００の送水口２０４の数を多くして、より小径（例えば、１０Ａ）の送水ホース２０６が用いられる。このように、調整タンク２００の容量は同じでも小型の多数台の散水装置１００に水を供給することで、より広範囲の散水が可能となる。
【００２３】
また、散水装置１００を小型化せずに、同型でより多数台の散水装置１００へ水を供給する場合は、大型の水中ポンプ２０１（例えば、４インチポンプ）を用い、毎分当たりの水の流量を増やすことによって、複数（例えば、２個）の調整タンク２００の取水口２０３に水を供給することもできる。このように、大型の水中ポンプ２０１を用いることで、複数の調整タンク２００の容量に応じた水量を供給することができ、複数の調整タンク２００による同系列の散水装置１００を構成することが可能となる。
【００２４】
散水装置１００は、詳細は後述するが、砕石置き場Ｓに、円筒形のタンク本体１０を回転台２０の上部に水平に維持した状態で設置されている。そして、このタンク本体１０は、外周面に複数の羽根板１４を有し、風力により回転自在とされている。調整タンク２００の複数の送水口２０４から送水ホース２０６を経由して散水装置１００の注水口１０１に給水された水は、風力により回転するタンク本体１０の外周面の略中央部に水平に配置された複数の噴射ノズル１５から砕石置き場Ｓの一定の範囲に均一に噴射される。
【００２５】
以下、本実施形態における散水装置１００の構成を、図２〜５を参照して説明する。図２は散水装置１００の構成の詳細を示す図である。図３はタンク本体１０の平面図である。図４は噴射ノズルの構成を示す図である。図５は散水装置１００の作動状態を示す図である。
【００２６】
図２に示すように、散水装置１００は、円筒形のタンク本体１０と、中央部に回転支軸２１が垂直に立設された矩形板状の回転台２０と、から構成されている。タンク本体１０は、例えば、厚さ３ｍｍの鉄板により直径３００ｍｍ、高さ３００ｍｍの円筒形に形成され、内部に散水用の水を密封可能に構成されている。矩形板状の回転台２０は、例えば、厚さ６ｍｍの鉄板により、長手方向が５００ｍｍ、短手方向が４００ｍｍの長方形に形成されている。回転台２０の中央に垂直に立設された回転支軸２１は、直径２５ｍｍ、高さ３５０ｍｍの円筒形の鉄棒で形成されている。
【００２７】
タンク本体１０は、上面１１の中央に立設された注水口１０１と、外周面１２に設けられた複数の噴射ノズル１５及び矩形板状の複数の羽根板１４と、底面中央に設けられた支軸挿入穴１６と、底面に設けられた水抜きバルブ１７と、により構成されている。
【００２８】
注水口１０１は、その上部にジョイント１０２を介して送水ホース２０６が連結されている。このジョイント１０２は、周知のスイベルジョイントが用いられ、タンク本体１０が回転するときに、注水口１０１と送水ホース２０６との連結部であるジョイント１０２から水漏れが発生しないように構成されている。
【００２９】
複数の羽根板１４は、厚さ１ｍｍの鉄板により、長手方向が２３０ｍｍ、短手方向が１４０ｍｍの長方形に形成されている。この羽根板１４は、風力によりタンク本体１０を回転させるための風受けとしての機能を有し、複数（例えば、４枚）の矩形板状の羽根板１４がタンク本体１０の外周面１２に接続されている。この複数の羽根板１４は、図３に示すように、タンク本体１０の中心に対して所定角度Ａ（例えば、１１０度）傾斜した状態となるように、羽根板１４の長手方向の一側端１４ａがタンク本体１０の外周面１２に接続されている。このように矩形板状の羽根板１４を傾斜した状態でタンク本体１０の外周面に接続することで、図５に示すように、羽根板１４にかかる風圧を効率よく一定の方向（図５ではタンク本体１０を平面視して右回りの方向）に作用させることができる。
【００３０】
また、図３に示すように、複数の羽根板１４の長手方向の一側端１４ａは、タンク本体１０の外周面１２を等間隔Ｈに分割（図３中では４分割）して接続されている。このように、複数の羽根板１４の一側端１４ａをタンク本体１０の外周面１２を等間隔Ｈに分割した位置に接続することで、個々の羽根板１４にかかる風圧を均等にすることができ、回転するタンク本体１０の中心が偏心することを防ぐことができる。
【００３１】
複数の噴射ノズル１５は、タンク本体１０の外周面１２の垂直方向の中央部に、水平方向に直列に配設されている。具体的には、図２及び図３に示すように、上記タンク本体１０の外周面１２に接続されている４枚の羽根板１４の間に２個ずつ、合計８個の噴射ノズル１５が配設されている。
【００３２】
図４に示すように、噴射ノズル１５は、噴射ヘッド１５ａ、ボールジョイント１５ｂ及びキャップ１５ｃから構成されており、噴射ヘッド１５ａがボールジョイント１５ｂを介してキャップ１５ｃに交換可能に取り付けられている。
【００３３】
また、噴射ノズル１５の噴射ヘッド１５ａは、噴射する水の態様により直進ノズル（水を直進某流として噴射する）、扇型ノズル（水を扇型に噴霧する）等の複数の種類があり、散水場所及び散水範囲に応じて適宜交換可能としている。また、噴射ヘッド１５ａは、ボールジョイント１５ｂを介してキャップ１５ｃに取り付けられているため、噴射ヘッド１５ａから噴射される水の角度を上下左右に適宜調整可能である。
【００３４】
支軸挿入穴１６は、円筒形のタンク本体１０の底面１３の中央に直径２８ｍｍ、高さ１２５ｍｍの円筒形の穴として垂直に設けられており、この支軸挿入穴１６に、矩形板状の回転台２０の中央部に垂直に立設された回転支軸２１を挿入することで、タンク本体１０を回転台２０の上方で回転自在に軸支している。この時、矩形板状の回転台２０は、散水場所に水平状態を維持して設置されることが望ましい。これにより、散水場所における散水装置を中心とした一定の範囲内に均等に散水することができるとともに、タンク本体１０の回転による偏心を防止することができる。
【００３５】
また、この支軸挿入穴１６の上端は半円状に形成されている。そして、支軸挿入穴１６に挿入される回転支軸２１の上端には半円状の六角袋ナット２３が設けられている。この支軸挿入穴１６の上端と六角袋ナット２３の形状により、回転支軸２１を支軸としてタンク本体１０が回転する際の摩擦抵抗の低減を図り、小さい風力でもタンク本体１０が回転可能な構成としている。
【００３６】
水抜きバルブ１７は、タンク本体１０の内部の水抜きを行うためのものであり、タンク本体１０の底面１３に設けられている。本実施形態の散水装置１００は、散水場所を適宜移動可能な構成としている。このため、水抜きバルブ１７を開放し、タンク本体１０内の水を外部に排出してタンク本体１０の重量を軽減することで、タンク本体１０の移動を容易としている。
【００３７】
図５に示すように、上述した構成の散水装置１００により、タンク本体１０の周囲の風力により、羽根板１４の傾斜の狭い部分で風圧をうけ、傾斜の緩い方向(図中では右回り方向)にタンク本体１０が回転支軸２１を中心として回転する。本願出願人の計測では、風速５ｍ／ｓの風の状況下においてタンク本体１０が回転動作するという測定結果が得られている。
【００３８】
タンク本体１０が回転することで注水口１０１からタンク本体１０の内部に供給された散水用の水が、噴射ノズル１５から所定の圧力で噴射される。これにより、当該散水装置１００を中心とした散水可能な一定の範囲内において、均一に散水することが可能となる。なお、散水可能な一定の範囲は、噴射ノズル１５の噴射ヘッド１５ａの種別や噴射角度の調整により適宜調整可能であり、散水場所において最も適した散水可能な一定の範囲を設定することができる。
【００３９】
［羽根板の変形例１］
ここで、図６を参照して羽根板１４の変形例１を説明する。図６は羽根板１４の変形例１を説明する図である。なお、変形例１においては羽根板１４以外の構成は、上述した実施形態と同様であるため説明は省略する。
【００４０】
図６（ａ）に示すように、変形例１における複数の羽根板１４は中央で前板１４１と後板１４２とに２分割されている。そして、ねじりバネ１４ｂにより２分割された前板１４１と後板１４２とを一体として連結して羽根板１４を構成している。このねじりバネ１４ｂは、無負荷の状態では前板１４１と後板１４２とを直線の状態を維持して連結しているが、所定以上の負荷がかかると、前板１４１と後板１４２とが連結を維持したまま一定の向きに折れ曲がるという特性を備えたものである。
【００４１】
図６（ｂ）に示すように、羽根板１４に受ける風力によりタンク本体１０が回転を開始し、その回転数が一定の回転数に達すると、回転方向（図中は右回りの回転方向）の風圧により前板１４１に所定の負荷がかかり、ねじりバネ１４ｂを中心として角度Ｒ分前板１４１がタンク本体１０側に折れ曲がる。つまり、タンク本体１０が一定の回転数に達すると、羽根板１４は平面視でくの字状に変形することになる。
【００４２】
これにより、羽根板１４の前板１４１における回転方向への空気抵抗を減少することができ、風力が小さい状況でも、より効率よくタンク本体１０を回転させることが可能となる。なお、この場合に、噴射ノズル１５で散水する水の向きを、タンク本体１０の回転方向と逆にしておくと、噴射ノズル１５の先端の噴射ヘッド１５ａ（図５参照）からの散水の反動をタンク本体１０が回転するための補助の推進力として利用することができ、風力が小さい状況でもタンク本体１０が回転可能な状態を作ることが可能となる。
【００４３】
［羽根板の変形例２］
以下、図７を参照して羽根板１４の変形例２を説明する。図７は羽根板１４の変形例２を説明する図である。なお、変形例２においては、上記変形例１と同様に羽根板１４以外の構成は、上述した実施形態と同様であるため説明は省略する。
【００４４】
図７に示すように、変形例２における複数の羽根板１４は、タンク本体１０の外周面１２と羽根板１４との接続部に特徴がある。つまり、４枚の羽根板１４の接続端１４ｃを平面視でＴ字状に形成し、タンク本体１０の外周面１２を等間隔に分割（図中は４分割）して、上端を開放したＴ字状の溝が形成された４か所の着脱部１４ｄを設け、４枚の羽根板１４の接続端１４ｃを着脱部１４ｄに着脱可能に構成している。
【００４５】
具体的に説明すると、羽根板１４をタンク本体１０の外周面１２に取り付ける場合は、着脱部１４ｄの上部に解放されたＴ字状の溝に、羽根板１４の接続端１４ｃを着脱部１４ｄの上部から挿入することでタンク本体１０の外周面１２に羽根板１４を取り付けることができる。羽根板１４をタンク本体１０の外周面１２から取り外す場合は、羽根板１４の接続端１４ｃを上部に引き上げることで、羽根板１４の接続端１４ｃの上部から羽根板１４を取り外すことができる。
【００４６】
上述したように、タンク本体１０の外周面１２に羽根板１４を着脱自在に構成することで、タンク本体１０の外周面１２取り付ける羽根板１４の数を任意に変更することができ、例えば、風力が大きい場合は取り付ける羽根板１４の数を少なくし、風力が小さい場合は取り付ける羽根板１４の数を多くするなど適宜調整して、タンク本体１０の回転速度を調整することが可能となる。
【００４７】
なお、上述した変形例２では、タンク本体１０の外周面１２に４か所の着脱部１４ｄを設け、４枚の羽根板１４を着脱可能としたことを一例として説明したが、着脱部１４ｄの数は４か所に限定されるものではなく、少なくとも２か所以上であればよく、６か所又は８か所の着脱部１４ｄをタンク本体１０の外周面１２に設け、最大６枚又は８枚の羽根板１４の数を変更して着脱可能に構成してもよい。
【００４８】
また、上述した実施形態においては、タンク本体１０、羽根板１４、回転台２０、回転支軸２１を、鉄板又は鉄の素材で構成したが、本発明はこれに限定されるものではない。例えば、銅、アルミ等他の金属素材を用いてタンク本体１０、羽根板１４、回転台２０、回転支軸２１を構成してもよいし、また、硬化プラスチック等より軽量な素材を用いても構わない。
【００４９】
また、上述した実施形態におけるタンク本体１０、羽根板１４、回転台２０、回転支軸２１のサイズはあくまで一例に過ぎず、これに限定されるものではない。例えば、散水場所の面積や水の散水範囲等に応じて、それに適したサイズのタンク本体１０、羽根板１４、回転台２０、回転支軸２１を構成することができる。
【００５０】
上述してきた実施形態によれば、以下の効果が期待できる。
【００５１】
（１）円筒形のタンク本体１０と、中央部に回転支軸２１が垂直に立設された回転台２０と、から構成される散水装置１００であって、タンク本体１０は、上面１１中央に設けられた注水口１０１と、外周面１２に設けられた複数の噴射ノズル１５と、外周面１２に設けられた矩形板状の複数の羽根板１４と、底面１３中央に設けられた支軸挿入穴１６と、を備え、回転支軸２１を支軸挿入穴１６に挿入して、タンク本体１０を回転台２０の上部に回転自在に軸支し、タンク本体１０は、注水口１０１からタンク本体１０の内部に注水された水を、複数の羽根板１４にかかる風圧により回転しながら噴射ノズル１５から当該タンク本体１０の外部に散水するので、自然の風力を利用してタンク本体を回転させながら所望する散水場所に散水することができるので、電力等の動力を必要とせず、コストのかからない回転式の散水装置を提供することができる。また、タンク本体１０の底面１３に水抜きバルブ１７を設け、該タンク本体１０内に残存する水を排出することで、タンク本体１０及び回転台２０を容易に持ち運びことが可能となり、散水場所を容易に変更可能な散水装置１００とすることができる。
【００５２】
（２）複数の羽根板１４はタンク本体１０の中心に対して所定角度（例えば、１１０度）傾斜した状態となるように、羽根板１４の長手方向の一側端１４ａがタンク本体１０の外周面１２に接続されているので、複数の羽根板１４に、より効率よく風力を伝達するとともに回転方向を決めることができ、風力が小さい（例えば、風力が５ｍ／ｓ）場合でも、タンク本体１０を回転させることが可能となる。
【００５３】
（３）複数の羽根板１４の長手方向の一側端１４ａは、タンク本体１０の外周面を等間隔に分割して接続されているので、個々の羽根板１４にかかる風圧を均等にすることができ、回転するタンク本体１０の中心が偏心することを防ぐことができる。
【００５４】
（４）複数の噴射ノズル１５は、タンク本体１０の外周面１２の垂直方向の中央部に、水平方向に直列に配設されているので、注水口から回転するタンク本体１０内に注水される水圧だけではなく、回転するタンク本体１０の外周面１２にかかる遠心力により、安定した範囲に散水することが可能となる。
【００５５】
（５）複数の噴射ノズル１５の先端には、噴射ヘッド１５ａがボールジョイント１５ｂを介して交換可能に取り付けられており、噴射ヘッド１５ａの角度を上下左右に調整可能としたので、散水場所の状況（例えば、農地、芝生、砕石置き場など）に適した噴射ヘッド１５ａを選択して変更することができ、さらに、風力の強さによりタンク本体１０の回転速度が必要以上に高速又は低速になった場合でも、噴射ヘッド１５ａの角度を調整することにより、散水装置１００を中心とした一定の範囲に確実に散水することが可能となる。
【００５６】
以上、各実施形態を通して本発明を説明してきたが、本発明はこれらに限定されるものではない。また、上述した各効果は、本発明から生じる最も好適な効果を列挙したに過ぎず、本発明による効果は、本実施の形態に記載されたものに限定されるものではない。
【符号の説明】
【００５７】
１０  タンク本体
１３  羽根板
１５  噴射ノズル
１６  支軸挿入穴
１７  水抜きバルブ
２０  回転台
２１  回転支軸
１００  散水装置
１０１  注水口
２００  調整タンク
２０１  水中ポンプ
２０２  取水ホース
２０３  取水口
２０４  送水口
２０６  送水ホース
３００  貯水槽
【図１】
2015188365.tif 000003
【図２】
2015188365.tif 000004
【図３】
2015188365.tif 000005
【図４】
2015188365.tif 000006
【図５】
2015188365.tif 000007
【図６】
2015188365.tif 000008
【図７】
2015188365.tif 000009